(57)【要約】【課題】エレベータ表示器の発光手段の経年的劣化による輝度低下や表示視認性の低下を自動的に簡易に検出できるようにする。【解決手段】マトリックス状に配列された発光手段の発光パターンにより各種情報を表示するエレベータの表示器１４において、前記発光手段の輝度低下を検出するシステムであって、表示器１４の表示画面を撮影するカメラ１６と、表示器１４の表示画面の画像データに基づいて、発光パターン毎に分割されたブロック単位で輝度値を測定する輝度値測定手段と、同じブロックについてあらかじめ設定された基準値と、測定された輝度値とを比較し、当該ブロックでの輝度値の低下を検出する輝度低下検出手段と、を備える。【選択図】図１
2017202890.tif 000002
【特許請求の範囲】
【請求項１】
マトリックス状に配列された発光手段の発光パターンにより各種情報を表示するエレベータの表示器において、前記発光手段の輝度低下を検出するシステムであって、
前記表示器の表示画面を撮影するカメラと、
前記表示器の表示画面の画像データに基づいて、前記発光パターン毎に分割されたブロック単位で輝度値を測定する輝度値測定手段と、
同じブロックについてあらかじめ設定された基準値と、測定された輝度値とを比較し、当該ブロックでの輝度値の低下を検出する輝度低下検出手段と、
を備えたことを特徴とするエレベータ表示器の輝度低下検出システム。
【請求項２】
前記輝度低下検出手段は、前記基準値に対する測定された輝度値の比を、輝度低下を検知する指標値として各発光パターンのブロック単位で算出し、前記指標値に基づいて輝度値の低下の度合いを判定することを特徴とする請求項１に記載のエレベータ表示器の輝度低下検出システム。
【請求項３】
前記輝度低下検出手段は、前記発光パターンの各ブロックについて算出した指標値のデータに基づいて、前記指標値の大きさ別に視覚的に表示する情報を生成し、外部の情報装置に送信することを特徴とする請求項２に記載のエレベータ表示器の輝度低下検出システム。
【請求項４】
前記輝度低下検出手段は、前記発光パターンの各ブロックについて算出した指標値のデータに基づいて、当該発光パターンにおいて輝度が低下したブロックの数を計数し、そのブロックの総数が所定の基準以上に存在する場合には、発光手段が交換時期であることを知らせる情報を外部の情報装置に送信することを特徴とする請求項２に記載のエレベータ表示器の輝度低下検出システム。
【請求項５】
前記表示器は、乗りかごに設けられる表示器であり、表示画面の前記カメラによる撮影は、エレベータの通常運転において、乗りかごの停止階での着床動作と連動して行われ、その停止階での表示画面の発光パターンについて、輝度値の低下が検出されるようにしたことを特徴とする請求項１乃至４のいずれかの項に記載のエレベータ表示器の輝度低下検出システム。
【請求項６】
前記カメラは、かご室に設置された監視カメラであることを特徴とする請求項５に記載のエレベータ表示器の輝度低下検出システム。
【発明の詳細な説明】
【技術分野】
【０００１】
本発明の実施形態は、エレベータ表示器の輝度低下検出システムに関する。
【背景技術】
【０００２】
エレベータでは、かご位置等の情報を表示する表示器がかご室内や乗場に設けられている。この種の表示器では、発光手段として一般にＬＥＤ素子が用いられ、複数のＬＥＤ素子がマトリックス状に配列された構成となっている。そして、複数のＬＥＤ素子を決められたパターンで発光させることにより、文字や数字、記号が表示されるようになっている。
【０００３】
ＬＥＤ素子は、白熱電球、蛍光灯に比べると、はるかに長寿命であるとされているが、一般に、ＬＥＤ素子は、使用開始後約１０年で、輝度が初期値の半分に低下し、寿命になるとされている。
【０００４】
エレベータの表示器の場合、その表示器を構成している個々のＬＥＤ素子の寿命は一様ではなく、かなりのばらつきがある。文字、数字、記号を表すパターン単位で点灯が繰り返されるため、頻度の高いパターンを構成しているＬＥＤ素子ほど早く損耗する傾向があるからである。
【０００５】
エレベータの保守点検では、表示器についても定期的に点検が行われている。しかし、一つ一つのＬＥＤ素子について、寿命が近づいて輝度が低下しているかどうかを点検することは困難である。
【０００６】
また、点検は数ヶ月の１回の頻度で行われるので、前回の点検ではわからなかったが、次回に点検が行われるまでの間に寿命が尽きてしまうＬＥＤ素子もある。エレベータの利用者からの指摘を受けて、管理者が寿命の尽きたＬＥＤ素子を交換することもあり、交換するまでの間、利用者への利便性が低下する問題がある。
【０００７】
従来、エレベータの表示器の劣化を検出することに関する従来技術としては、例えば、特許文献１では、発光パターン毎に消費電流を測定し、この電流値がＬＥＤ素子の劣化を検知することを提案している。
【先行技術文献】
【特許文献】
【０００８】
【特許文献１】特開２００７−７００２４号公報
【発明の開示】
【発明が解決しようとする課題】
【０００９】
しかしながら、発光手段がＬＥＤ素子の場合、経年的変化による電流の変化はごく小さいものであり、ＬＥＤ素子を交換すべきかのどうかの判定は困難なことが多い。  
また、エレベータの表示器では、発光手段の経年的劣化以外にも、表示器の外観の破損や傷等によって、表示される文字等の視認性が低下する場合があるが、従来の検知システムでは、これらの外観上の不都合には対応できていなかった。
【００１０】
本発明は、前記従来技術の有する問題点に鑑みなされたものであって、エレベータ表示器の発光手段の経年的劣化による輝度低下や表示視認性の低下を自動的に簡易にリアルタイムで検出できるようにしたエレベータ表示器の輝度低下検出システムを提供することを目的としている。
【課題を解決するための手段】
【００１１】
前記の目的を達成するために、本発明の実施形態は、マトリックス状に配列された発光手段の発光パターンにより各種情報を表示するエレベータの表示器において、前記発光手段の輝度低下を検出するシステムであって、前記表示器の表示画面を撮影するカメラと、前記表示器の表示画面の画像データに基づいて、前記発光パターン毎に分割されたブロック単位で輝度値を測定する輝度値測定手段と、同じブロックについてあらかじめ設定された基準値と、測定された輝度値とを比較し、当該ブロックでの輝度値の低下を検出する輝度低下検出手段と、を備えたことを特徴とするものである。
【図面の簡単な説明】
【００１２】
【図１】本発明の実施形態によるエレベータ表示器の輝度低下検知システムの概要を示す図である。
【図２】実施形態によるエレベータ表示器の輝度低下検知システムの構成を示すブロック図である。
【図３】カメラで撮影したエレベータ表示器の画像の例を示すである。
【図４】実施形態によるエレベータ表示器の輝度低下検知システムの動作を示すフローチャートである。
【図５】輝度が低下したブロックの輝度低下表示例を示す図である。
【図６】発光パターン全体の輝度低下表示例を示す図である。
【発明を実施するための最良の形態】
【００１３】
以下、本発明によるエレベータ表示器の輝度低下検出システムの一実施形態について、添付の図面を参照しながら説明する。  
図１は、本発明の実施形態による輝度低下検出システムの概要を示す図である。図１において、参照番号１０は、乗りかごの出入口に設けられたかごドアを示している。かご室内には、かご操作盤１２が設けられている。かご操作盤１２には、乗客が行き先階を登録するためのボタンや、かごドア１０を開閉操作するためのボタンが設けられている。かご操作盤１２の上部には、乗りかごが位置している階や、かごの移動方向を表示する階床表示器１４が設けられている。
【００１４】
エレベータのかご室内には、主として防犯上の理由から監視カメラ１６が設置されている。本実施形態の輝度低下検出システムでは、輝度低下を検出する対象は、階床表示器１４である。監視カメラ１６で撮影した階床表示器１４の表示画面の画像データから発光手段の輝度を検出する。
【００１５】
監視カメラ１６によって撮影された画像データは、外部ケーブルを介して、かご上に設置された輝度低下検出装置２０に送られる。輝度低下検出装置２０は、かご室内に設けるようにしてよい。輝度低下検出装置２０では、階床表示器１４の発光手段の輝度の算出、輝度低下の判定、輝度の低下した発光手段が存在する部分をグラフィック表示するデータの演算などの処理が行われる。これらについては後述する。
【００１６】
輝度低下検出装置２０は、階床表示器１４の輝度低下に関する情報を各所のエレベータを集中的に監視している監視センタに送信し、その情報はモニタ２２に表示される。また、エレベータ管理者の携帯端末２４にも情報が送信される。
【００１７】
次に、図２は、本実施形態による輝度低下検出システムの構成を示すブロック構成図である。  
階床表示器１４は、発光手段として複数のＬＥＤ素子を縦横にマトリックス状に配列した表示器である。エレベータ制御部２８からは、階床を表す数字、移動方向を表す矢印などの発光パターン指令がかご操作盤１２の点灯主制御部３０に入力される。点灯主制御部３０は、ＬＥＤ点灯駆動回路３１を介して、階床表示器１４の複数のＬＥＤ素子の中から、発光パターン指令によって決められた一群のＬＥＤ素子を点灯させる。これによって、階床表示器１４には、図３に例示されるように、ドットマトリックスによる階床、移動方向を表す文字、記号等が表示される。なお、かご操作盤１２には、図示はしないが、階床表示器１４の他にも、満員や休止などの運転状況を表示する表示灯もある。
【００１８】
図２において、輝度低下検出装置２０では、監視カメラ１６で撮影された階床表示器１４の画像データ３４が外部入力として入力される。この画像データ３４は、画像記録部３５に記録される。測定輝度算出部３６は、画像データ３４を画像記録部３５から読み取り、その画像を分析して輝度を算出する。輝度の算出についてはさらに後述する。
【００１９】
輝度低下検出装置２０には、記憶部として、測定した輝度のデータを記録する測定輝度記録部３８、階床表示器１４の輝度値の初期値（製造された段階での輝度値）が記録される輝度初期値記録部４０、が設けられている。
【００２０】
また、輝度低下検出装置２０には、階床表示器１４のＬＥＤ素子の輝度の低下を検知する手段として、輝度低下判定部４１が設けられている。
【００２１】
輝度低下判定部４１では、輝度初期値記録部に記録されている初期輝度値のデータと、測定輝度記録部３８に記録されている測定輝度値のデータが比較されて、輝度が低下したか否かが判定される。判定結果のデータは、輝度低下記録部４２に記録される。
【００２２】
表示部４３は、輝度低下記録部４２に記録された数値データを、例えば、輝度の違いが色で表示される画像に変換して表示する機能を有しており、監視センタのモニタ２２や、携帯端末２４の画面にその画像が表示される。
【００２３】
本実施形態では、輝度低下検出装置２０には、乗りかごの階床位置・運転方向検出部３７が設けられている。これは、図４のフローチャートに示されるように、エレベータの通常運転と連動させて階床表示器１４の輝度を検出する一連の動作を行わせるためである。
【００２４】
次に、本実施形態によるエレベータ表示器の輝度低下検出システムの動作について、図４のフローチャートを参照して説明する。  
エレベータの運転中は、乗りかごの位置、運転状況に係る信号がエレベータ制御部２８から位置・運転検出部３７に送信される。位置・運転検出部３７は、乗りかごが位置している階と、運転方向を検出する（ステップＳ１０）。乗りかごが最寄り階に着床したことを検知すると（ステップＳ１１のyes）、位置・運転検出部３７は、着床位置を判定する（ステップＳ１２）。
【００２５】
ここで、ステップＳ１３の一群のステップは、乗りかごが着床した時における監視カメラ１６による階床表示器１４の表示画面の撮影と、その表示画面の初期輝度値を取得する処理を示している。  
例えば、エレベータは上昇運転をしていて８階に着床したとすると、階床表示器１４の表示画面は図３に示すようになる。階床表示器１４では、停止した階は数字で表され、方向が矢印で表示される。ステップＳ１４では、監視カメラ１６は、図３に示すような階床表示器１４の表示画面を撮影する。
【００２６】
次に、この例では、乗りかごは８階に着床したので、輝度低下判定部４１は、８階を表す階床表示器１４における「８」の発光パターン、「↑」の発光パターンについて、輝度初期値記録部４０から初期輝度値を読み取る（ステップＳ１５、１６）。
【００２７】
ここで、図３に示すような発光パターンと、画像処理による輝度値との関係について説明する。  
階床表示器１４の表示画面は、行：１ｂ〜１８ｂ、列：１ａ〜９ａの格子状のブロックに分割される。この場合、行の数、列の数は、分かりやすくするための例示である。図３で黒塗りされているブロックが、ＬＥＤ素子が発光しているブロックである。階床表示器１４に表示される数字、文字、記号などの発光パターンで発光するブロックは、行、列によって特定される。
【００２８】
本実施形態では、全ての停止階で、階床表示器１４に表示され得る発光パターン毎に、それを構成しているブロック単位でＬＥＤ素子の初期輝度値が輝度初期値記録部４０にあらかじめ記憶されている。輝度低下判定の基準となる初期輝度値は、新品のＬＥＤ素子が発光した場合の画像を分析して得たブロック単位の輝度値である。例えば、各ブロックのエリア内で複数点輝度を算出し、その平均値をとって、そのブロックの輝度初期値とする。輝度の算出の仕方は、次に説明する測定輝度値についても同様である。
【００２９】
次に、図４のフローチャートにおいて、ステップＳ２０に包括される一連の処理は、停止階において階床表示器１４の表示面の画像から測定輝度値を算出し、初期輝度値と比較し、輝度低下を検出する処理である。  
停止階で撮影された画像データは、画像記録部３５に送信されてから（ステップＳ２１）、
測定輝度算出部３６に読み込まれる。測定輝度算出部３６は、画像データを分析して、発光パターンを構成している各ブロックの輝度を算出する（ステップＳ２２）。
【００３０】
測定輝度値のデータについては、測定輝度記録部３８内のメモリエリアに、ブロックごとのデータが記憶される（ステップＳ２３）。
【００３１】
次いで、輝度低下判定部４１は、初期輝度値を初期輝度値記録部４０から読み込み、測定輝度値を測定輝度値記録３８から読み込み、両者の比較を行う（ステップＳ２４）。  
この実施形態では、単純に、初期輝度値と測定輝度値の大小を比較するのではなく、初期輝度値に対する測定輝度値の比（測定輝度値／初期輝度値）をブロック毎に数値化し、これを輝度低下の指標とする。
【００３２】
輝度低下の指標を初期輝度値に対する測定輝度値の比で数値化しているので、その数値が１の場合は、発光パターンのブロックに輝度低下はなく、正常なことを示している。これに対して、数値が１以下の場合は、輝度低下が生じていることを示している。
【００３３】
測定輝度値の方が初期輝度値よりも小さい、すなわち輝度低下指標の数値が１以下の場合には（ステップＳ２５のｙｅｓ）、輝度の低下が検出されたブロックを特定する情報、輝度低下指標値の数値、輝度低下を検出した日時などのデータが輝度低下記録部４２に記録される（ステップＳ２６）。なお、ステップＳ２５で輝度低下が検出されなかった場合には、最初のステップＳ１０に戻って上述のステップを繰り返すことになる。
【００３４】
次に、ステップＳ２７では、輝度低下の検出されたブロックの輝度低下指標値を輝度低下記録部４２から読み込んで、グラフィック表示に変換して出力する。  
この実施形態では、初期輝度値に対する測定輝度値の比に数値化して輝度の低下を判定しているので、数値としては、例えば、０．９、０．７、０．５、０．３というような１以下の数値が得られる。
【００３５】
例えば、０．２刻みで、当該ブロックを表示する色を変え、あるいは濃淡を変えて表示することで、ブロックを構成しているＬＥＤ素子の輝度低下の度合いを直観的に理解できるように表示することができる。図５では、輝度の低下のないブロックを黒塗りで、輝度が９０％低下したブロック、輝度が５０％低下したブロックを濃淡で区別して表している。
【００３６】
ここで、図６は、輝度の低下したＬＥＤ素子があるブロックを濃淡の違いにより表示した発光パターンの例を示す。
【００３７】
図６（Ａ）では、「８」を表示するブロックのうち、黒塗りの部分は、正常なＬＥＤ素子からなるブロックを示している。淡くなっているブロックが輝度の低下したＬＥＤ素子からなるブロックである。なお、ごく一部のブロックについてのみ輝度の低下が見られる場合には、外観面の傷や汚れなどの原因が考えられる場合もある。
【００３８】
図６（Ｂ）では、「↑」の矢の先が欠けているように表示されているが、これは、ＬＥＤ素子の輝度低下の度合いが大きいことを示している。
【００３９】
このような輝度低下のグラフィック表示は、監視モニタ２２や携帯端末２４に出力され、管理者はこれをみて階床表示器１４の輝度低下の現状をリアルタイムで確認することができる（ステップＳ３０、ステップＳ３１）。その際には、輝度の低下したブロックの発光装置の光量を高められるようにしてもよい。
【００４０】
次に、ステップＳ２８では、輝度の低下のみられるブロックの数を計数し、その数がその発光パターンを全体のブロック数の例えば、５０％以上を占めるか否かが判別される。輝度の低下したブロックが全体の半分以上を占めるようになっているということは、その階床表示器１４のＬＥＤ素子に寿命がきたと判断して、例えば「要交換」などの表示が外部に出力される（ステップＳ２９）。このような「要交換」の表示は、監視モニタ２２や携帯端末２４に出力され、管理者はこれをみて階床表示器１４の交換が必要なことをリアルタイムで把握することができる。管理者は、乗客に不便をかけることなく、交換などの保守業務に即座に対応できる。
【００４１】
このような輝度低下の検出のプロセスは、エレベータが通常運転している間、停止階に止まるたびに行われるので、階床表示器１４のすべての発光パターンについて洩れなく輝度の低下したブロックが調べられ、輝度の低下したＬＥＤ素子を確実に検知することができる。
【００４２】
また、監視モニタ２２や携帯端末２４に表示された輝度低下のグラフィック表示からは、画面の一部のみが外観上の汚れや傷がある場合も、輝度低下の態様として検知することができる。
【００４３】
なお、以上の実施形態では、階床表示器の発光手段にＬＥＤ素子を用いた例について説明したが、輝度の基準値と測定した輝度との差が画像の解析から検出できるものであれは、ＬＥＤ素子に限定されるものではない。
【００４４】
また、エレベータの乗場に設けられているインジケータなどの表示器についても、同様に発光手段の輝度低下を監視カメラで撮影した画像から検知することが可能である。画像を撮影する手段も監視カメラに限定されるものではない。
【００４５】
以上、本発明に係るエレベータ表示器の輝度低下検出装置について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００４６】
１０…かごドア、１２…かご操作盤、１４…階床表示器、１６…監視カメラ、２０…輝度低下検出装置、２２…監視センタのモニタ、２４…携帯端末
【図１】
2017202890.tif 000003
【図２】
2017202890.tif 000004
【図３】
2017202890.tif 000005
【図４Ａ】
2017202890.tif 000006
【図４Ｂ】
2017202890.tif 000007
【図５】
2017202890.tif 000008
【図６】
2017202890.tif 000009
【手続補正書】
【提出日】平成29年7月3日(2017.7.3)
【手続補正１】
【補正対象書類名】明細書
【補正対象項目名】００１１
【補正方法】変更
【補正の内容】
【００１１】
前記の目的を達成するために、本発明の実施形態は、マトリックス状に配列された発光手段の発光パターンにより各種情報を表示するエレベータの表示器において、前記発光手段の輝度低下を検出するシステムであって、前記表示器の表示画面を撮影するカメラと、
前記表示器の表示画面の画像データに基づいて、前記発光パターンを複数のブロックに分割してなるそのブロック単位で輝度値を測定する輝度値測定手段と、同じブロックについてあらかじめ設定された基準値と、測定された輝度値とを比較し、当該ブロックでの輝度値の低下を検出する輝度低下検出手段と、を備えたことを特徴とするものである。
【手続補正２】
【補正対象書類名】特許請求の範囲
【補正対象項目名】請求項１
【補正方法】変更
【補正の内容】
【請求項１】
マトリックス状に配列された発光手段の発光パターンにより各種情報を表示するエレベータの表示器において、前記発光手段の輝度低下を検出するシステムであって、
前記表示器の表示画面を撮影するカメラと、
前記表示器の表示画面の画像データに基づいて、前記発光パターンを複数のブロックに分割してなるそのブロック単位で輝度値を測定する輝度値測定手段と、
同じブロックについてあらかじめ設定された基準値と、測定された輝度値とを比較し、当該ブロックでの輝度値の低下を検出する輝度低下検出手段と、
を備えたことを特徴とするエレベータ表示器の輝度低下検出システム。